(57)【要約】【課題】本発明は、三重織保温生地を提供する。【解決手段】表層経糸、二層経糸及び接結経糸からなる経糸と、表層緯糸、二層緯糸及び植込緯糸からなる緯糸を含み、前記接結経糸で前記表層緯糸と前記二層緯糸が結合されて接結線になり、前記接結線を基準に表層生地と二層生地が構成されるように二重織で製織され、前記表層生地と前記二層生地との間に前記植込緯糸が位置し、前記表層生地と前記二層生地との間に構成される中空地点に位置する前記植込緯糸に対角となる植込経糸をさらに備え、前記植込緯糸と前記植込経糸は、前記接結線の近接地点において無製織状態の嵩高性維持部となり、一の前記嵩高性維持部と他の前記嵩高性維持部の内側の前記中空地点には平織部が位置し、前記表層生地と前記平織部と前記二層生地からなる三重織で構成されることを特徴とする、三重織保温生地。【選択図】図２
2014136859.tif 000002
【特許請求の範囲】
【請求項１】
表層経糸、二層経糸及び接結経糸からなる経糸と、
表層緯糸、二層緯糸及び植込緯糸からなる緯糸を含み、
前記接結経糸で前記表層緯糸と前記二層緯糸が結合されて接結線になり、
前記接結線を基準に表層生地と二層生地が構成されるように二重織で製織され、
前記表層生地と前記二層生地との間に前記植込緯糸が位置し、
前記表層生地と前記二層生地との間に構成される中空地点に位置する前記植込緯糸に対角となる植込経糸をさらに備え、
前記植込緯糸と前記植込経糸は、前記接結線の近接地点において無製織状態の嵩高性維持部となり、
一の前記嵩高性維持部と他の前記嵩高性維持部の内側の前記中空地点には平織部が位置し、
前記表層生地と前記平織部と前記二層生地からなる三重織で構成されることを特徴とする、三重織保温生地。
【発明の詳細な説明】
【技術分野】
【０００１】
本発明は、三重織保温生地に関する。
【背景技術】
【０００２】
農業用ビニールハウスで、内部の温度が外部に発散されないようにするためには、ビニールハウスの層を多層にして内部の熱が外部に発散されないように遮断するか、または保温カバーをビニールハウスの外部に位置させて、夜間には被せて昼間には外して熱の発散を防止する。前者の場合には多くの施設費が要する問題があり、後者の場合には保温カバーを被せて外すのに手間がかかって、雪、雨が降ると、断熱維持機能が落ち、被せて外す作業が難しい問題がある。
【０００３】
また、幾種の生地を縫接して構成した保温カバーをビニールハウス内部に設置する場合もあるが、保温力が落ち、重量が重くて、使用が不便な問題がある。
【０００４】
また、二重織で生地を製織しながら等間隔で接結線により連結されるようにして中空部を構成し、中空部内側に嵩高性素材の緯糸、または断熱素材を位置させるなどの保温生地が開発されて、保温カーテン用として用いられている。
【先行技術文献】
【特許文献】
【０００５】
【特許文献１】韓国実用新案登録第２０００４５号明細書
【特許文献２】韓国実用新案登録第２０４８０７号明細書
【特許文献３】韓国実用新案登録第２５８５４４号明細書
【特許文献４】韓国特許登録第９３０３００号明細書
【特許文献５】韓国実用新案登録第４４８０８９号明細書
【特許文献６】韓国特許登録第１０２０４０３号明細書
【特許文献７】韓国実用新案登録第４６１０６１号明細書
【特許文献８】特開平９−２６２０３０号公報
【発明の概要】
【発明が解決しようとする課題】
【０００６】
上述のような保温生地は、軽量のメリットはあるものの、嵩高性素材による収縮率が１０〜２０％と高く、使用過程において長さの変化によって、保温の障害要因となる。また、表面と裏面の素材が異なるようにして二重に製織した生地は、保温空間がないため保温率が落ちる問題がある。
【０００７】
そこで、本発明は、上記問題に鑑みてなされたものであり、本発明の目的とするところは、伸縮性が維持されるとともに、保温力を高めて、収縮率を減らすことが可能な、新規かつ改良された三重織保温生地を提供することにある。
【課題を解決するための手段】
【０００８】
上記課題を解決するために、本発明のある観点によれば、表層経糸、二層経糸及び接結経糸からなる経糸と、表層緯糸、二層緯糸及び植込緯糸からなる緯糸を含み、前記接結経糸で前記表層緯糸と前記二層緯糸が結合されて接結線になり、前記接結線を基準に表層生地と二層生地が構成されるように二重織で製織され、前記表層生地と前記二層生地との間に前記植込緯糸が位置し、前記表層生地と前記二層生地との間に構成される中空地点に位置する前記植込緯糸に対角となる植込経糸をさらに備え、前記植込緯糸と前記植込経糸は、前記接結線の近接地点において無製織状態の嵩高性維持部となり、一の前記嵩高性維持部と他の前記嵩高性維持部の内側の前記中空地点には平織部が位置し、前記表層生地と前記平織部と前記二層生地からなる三重織で構成されることを特徴とする三重織保温生地が提供される。
【発明の効果】
【０００９】
以上説明したように本発明によれば、伸縮性が維持されるとともに、保温力を高めて、収縮率を減らすことができる。
【図面の簡単な説明】
【００１０】
【図１】本発明の一実施形態に係る三重織保温生地の平面図である。
【図２】同実施形態に係る三重織保温生地の製織状態を示す横断面図である。
【図３】同実施形態に係る三重織保温生地の要部を抜粋した断面図である。
【図４】図３のＡ−Ａ’線断面の拡大図である。
【図５】同実施形態に係る三重織保温生地の斜視図である。
【図６】同実施形態に係る三重織保温生地の要部拡大斜視図である。
【発明を実施するための形態】
【００１１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１２】
本発明は、三重織保温生地に関し、詳細には生地を三重織で製織しながら、一程間隔ごとに接続結線を形成して、内側生地の緯糸は嵩高性素材にし、接結地点には嵩高性緯糸で保温空間を維持できるようにしたものである。
【００１３】
本発明の具体的な実施例は、図面に基づいて詳細に説明すると、以下のとおりである。
【００１４】
図１及び図２に示すように、経糸は、表層経糸１、二層経糸２及び接結経糸３に分けられ、緯糸は、表層緯糸４、二層緯糸５、及び植込緯糸６に分けられる。接結経糸３で表層緯糸４と二層緯糸５が結合されて接結線９になり、接結線９を基準に表層生地７と二層生地８が構成されるように二重織で製織する。表層生地７と二層生地８との間には植込緯糸６が位置する。表層生地７と二層生地８で構成される中空地点に位置する植込緯糸６と対角になる植込経糸１０をさらに備え、植込緯糸６と植込経糸１０は、図２〜図４のように接結線９の近接地点においては嵩高性維持部１１となるように未製織状態に置く。接結線９と接結線９との間の中空部の内側には、植込緯糸６と植込経糸１０を平織した平織部１２が位置し、表層生地７と平織部１２と二層生地８とが複層で構成される三重織にしたものである。
【００１５】
上記のような三重織保温生地は、縫接などの後工程なしに一体型で三重織が製造されるため、使用が便利になる。
【００１６】
また、本実施形態では、表層生地７と二層生地８との間の中空部に形成される植込緯糸６は、嵩高性素材にすると共に、植込経糸１０で内側地点は製織されて、平織部１２を有する。接結線９の近接地点に位置する植込緯糸６と植込経糸１０は、互いに対角方向に未製織状態の嵩高性維持部１１となり、表層生地７と二層生地８との間の空間、即ち中空部には、植込緯糸６と植込経糸１０により平織部１２が構成されて保温効率が従来の二重織保温生地に比べて高まることとなる。さらに、平織部１２は、植込緯糸６の収縮機能を減らすことになるため、三重織保温生地の収縮率が減少する。
【００１７】
このように、本実施形態の三重織保温生地は、等間隔で接結線９を置いて、接結線９の間の中空部内側に嵩高性の緯糸を位置させて構成される。嵩高性の緯糸の両側の接結線９の近接地点は、伸縮性が維持されるように無製織状態に置き、内側は平織して三重織になるようにして保温力を高め、収縮率を減らすことができる。
【００１８】
上記のような本実施形態の三重織保温生地を利用してビニールハウスで断熱、または保温生地として用いると、ビニールハウスの内部温度が外部に放熱されることを低減させ、また収縮率変化により発生される保温力の減少及び損傷を減らすことができる。
【００１９】
また、本実施形態において、表層生地７または二層生地８の緯糸４５に、光を反射するフィルム糸を用いると、三重織遮光生地として用いることができる。
【００２０】
以上説明したように本実施形態は、表層生地７と二層生地８との間の中空部に平織部１２の生地をさらに備えて三重織保温生地を構成し、接結線９の近接地点には、未製織状態で置かれる植込経糸１０と共に嵩高性を維持できるようになる。このため保温性が向上し、ビニールハウスで保温及び熱遮断の保温カーテン用生地として用いる時、保温生地には収縮率が少なくて施工が容易なメリットがある。
【００２１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００２２】
１      表層経糸
２      二層経糸
３      接結経糸
４      表層緯糸
５      二層緯糸
６      植込緯糸
７      表層生地
８      二層生地
９      接結線
１０    植込経糸
１１    嵩高性維持部
１２    平織部
【図１】
2014136859.tif 000003
【図２】
2014136859.tif 000004
【図３】
2014136859.tif 000005
【図４】
2014136859.tif 000006
【図５】
2014136859.tif 000007
【図６】
2014136859.tif 000008